(57)【要約】【課題】本発明が解決しようとする課題は、ホーンの器体内への海水、雨水の侵入を可及的に阻止するとともに、ホーン本体により強力な防錆性を備えさせることによって、耐用性に優れた防水型ホーンを構成することにある。【構成】吹鳴筒１の基端部に連なり、周縁に立ち上がり部２’を具えた円板状のフロントカバー２の内面に、フランジ部３’を沿わせてホーン本体３を収容し、この本体３とフランジ部３’との外周に密着するように成形された合成樹脂製の保護カバー５を嵌着し、保護カバーの外周を椀形に形成されたバックカバー６で覆い、バックカバーの下縁部６’を、フロントカバーの立ち上がり部２’に嵌着して、フロントカバー２とバックカバー６との間に形成した密閉空間７内に、保護カバー５によって防水されたホーン本体３を設置した防水型のホーンである。【選択図】　　　　図１
2004070019.tif 000002
【特許請求の範囲】
【請求項１】
吹鳴筒の基端部に連なり、周縁に立ち上がり部を具えた円板状のフロントカバーの内面に、フランジ部を沿わせてホーン本体を収容し、該本体とフランジ部との外周に密着するように成形された合成樹脂製の保護カバーを嵌合し、保護カバーの外周を椀形に形成されたバックカバーで覆い、バックカバーの下縁部を、フロントカバーの立ち上がり部に嵌着して、上記フロントカバーとバックカバーとの間に形成された密閉空間内に、上記保護カバーによって防水されたホーン本体を設置したことを特徴とする防水型ホーン。
【請求項２】
前記フロントカバーと前記バックカバーは、それぞれステンレス製であること、前記フロントカバーの円周方向の複数個所に配設されて、該フロントカバーと前記ホーンのフランジ部と前記保護カバーを挿通するホーン取付け用のねじと、前記バックカバーを挿通するカバー取付用のねじは、それぞれ上記保護カバーの外周に設けたねじ受け部に螺合するように構成したことを特徴とする請求項１記載の防水型ホーン。
【発明の詳細な説明】
【０００１】
【産業上の利用分野】
本発明は、主として、マリーンボート、小型漁船または小型船舶用のマリーンホーンとして用いられるようにした防水型ホーンに関し、合成樹脂製保護カバーで覆ったホーン本体を、周縁部分で互いに水密に嵌合し合う椀形のバックカバーと、吹鳴筒の基端部を形成するフロントカバーとの間に収容して、ホーン本体部分を二重に防水し、さび難くしたことを特長とするものである。
【０００２】
【従来の技術】
従来、この種のホーンは、それぞれ比較的にさび難い金属板製のバックカバーと吹鳴筒の基端部との間に形成した空間内に、防錆塗装を施したホーン本体を設置した構造のものが一般に使用されていた。
この従来のホーンによれば、長年の使用の間に表面に付いた疵から器体内に海水とか雨水が侵入して、錆を生じたり、音声に不調を来したりする不具合が生じ易いという欠点があった。
【０００３】
【発明が解決しようとする課題】
本発明が解決しようとする課題は、上記のようなホーンの器体内への水の侵入を可及的に阻止するとともに、ホーン本体により強力な防錆性を備えさせることによって、耐用性に優れた防水型ホーンを提供することにある。
【０００４】
【課題を解決するための手段】
そこで本発明は、吹鳴筒の基端部に連なり、周縁に立ち上がり部を具えた円板状のフロントカバーの内面に、フランジ部を沿わせてホーン本体を収容し、該本体とフランジ部との外周に密着するように成形された合成樹脂製の保護カバーを嵌合し、保護カバーの外周を椀形に形成されたバックカバーで覆い、バックカバーの下縁部を、フロントカバーの立ち上がり部に嵌着して、上記フロントカバーとバックカバーとの間に形成された密閉空間内に、上記保護カバーによって防水されたホーン本体を設置したことを特徴とする防水型ホーンを提供するものである。
【０００５】
上記のように本発明は、合成樹脂製の保護カバーでホーン本体を覆い、さらに保護カバーの外周を、椀形のバックカバーと、吹鳴筒の基端部を構成するフロントカバーとによりホーン本体を二重に防水するようにしたので、ホーン器体の外側の防錆性が高められるとともに、器体内部に侵入する水に対するホーン本体の防水性が備わる。
【０００６】
また、フロントカバーとバックカバーを、それぞれステンレス製とするとともに、フロントカバーの円周方向の複数個所に配設されて、該フロントカバーとホーンのフランジ部と保護カバーを挿通するホーン取付け用のねじと、バックカバーを挿通するカバー取付用のねじを、それぞれ上記保護カバーの外周に設けたねじ受け部に螺合するように構成した請求項２の発明によれば、水が取付け用のねじを伝って器体内に侵入することを排除し、本発明に係るホーンの耐久性をよりいっそう高めることができる。
【０００７】
【実施例】
以下に本発明の実施例を図面について説明する。
図１は、本発明の実施例を示す一部切欠縦断面図である。
図において、１は、開放された先端部分を省略した吹鳴筒、２は、吹鳴筒１の基端部を形成する円板形のフロントカバー、３は、フロントカバー２にフランジ部３’を沿わせ、円周方向の複数個所に配設した固定用のねじ４によりフロントカバー２の内面（図示上面）に固定したホーン本体である。
【０００８】
５は、ホーン本体３と共にフランジ部３’の外周に沿って密着し、ホーン本体３を上面から覆うように嵌着した保護カバー、６は、椀形に形成されたバックカバーで、内部に保護カバー５とホーン本体３を設置する適宜の大きさの密閉された空間７を形成し、保護カバー５の下部外周を嵌合し、下縁部６’を、フロントカバー２の外周に形成した立ち上がり部分２’の内周に密着させて互いに防水的に結合する。
【０００９】
８は、バックカバー６と保護カバー５の側面を挿通し、端末をホーン本体３の上面に備えたターミナル９に接続したホーン駆動用のリード線、１０は、リード線８の挿通部に嵌着した防水用ゴムブッシュ、１１は、バックカバー５を挿通して保護カバー５の上部にねじ込んだカバー取付け用のねじ、１２は、吹鳴筒１のフロントカバー２の内面と、ホーン本体３のフランジ部３’との間にそれぞれ介設したパッキン、１３は、保護カバー５の外周と頂部とにそれぞれ特に厚肉に形成されて、ホーン本体固定用のねじ４とバックカバー取付け用のねじ１１の内端を螺合するねじ受け部、１４は、ホーン本体３とフロントカバー部２との間にパッキン１２を介在させて張設した振動板である。
【００１０】
この実施例において、上記吹鳴筒１の基端部を形成するフロントカバー２と、バックカバー６はそれぞれステンレス製で、保護カバー５は、各ねじ受け部１３を含めて一体に成形された合成樹脂製である。
【００１１】
上記のように構成したこの防水型ホーンは、フロントカバー２の外周の立ち上がり部２’と、バックカバー６の下縁部６’との結合により器体内を密閉し防水している。器体内に（密閉空間７内に）設置したホーン本体３は、樹脂製の保護カバー５により防水されている。
以上のようにように、この防水型ホーンは、ホーン本体３を二重に防水しているので、耐水性、耐用性に優れている。
なお、ホーン本体３には従来公知のホーンを採用しているのでその作動については説明を省略する。
【００１２】
なお、本発明の実施に際して、フロントカバー部分、バックカバー部分、保護カバー部分の各部の形状等は、本発明の要旨に沿ってその態様を適宜に設計変更できることはいうまでもない。
【００１３】
【発明の効果】
前記のように構成され、上記のようにしてホーン本体を防水した本発明によれば、二重の防水構造を備えることにより、従来のこの種のホーンに比べて耐水性が高く、防錆性、耐用性に優れている。
【図面の簡単な説明】
【図１】図１は、実施例の一部切欠正面図である。
【符号の説明】
１　吹鳴筒
２　フロントカバー　　　（２’　立ち上がり部）
３　ホーン本体　　　（３’　フランジ部）
４　ホーン固定用のねじ
５　保護カバー
６　バックカバー　　　（６’　下縁部）
７　空間
８　リード線
９　ターミナル
１０　ゴムブッシュ
１１　バックカバー取付け用のねじ
１２　パッキン
１３　ねじ受け部
１４　振動板
【図１】
2004070019.tif 000003